Podtech/llm-jp-corpus-v4-ja_patent huggingface dataset:
(57)【要約】      （修正有）【課題】浮遊する照明器具の移動状態または照明器具外界の音の状態を、照明器具内で検知し、その移動状態または音の状態によって発光状態を変化することができる、安定的に浮遊可能な照明器具を提供する。【解決手段】空気より比重の軽いガスが注入された袋状の浮遊可能照明器具１０の中に、単一または複数の色彩の光を発光する一個または複数個からなるＬＥＤを使用した発光源と該発光源に電源を供給する電源装置、照明器具の移動をセンシングするセンサを含む制御回路５を含む構成である。また、前記袋状の風船１から細長いひも７状物体が垂れ下がり、前記ひも状物体の一部が接地している構成である。【選択図】図１
0003164732.tif 000002
【実用新案登録請求の範囲】
【請求項１】
内部に空気より比重の小さいガスが充填されている袋状の風船体内に、発光源と該発光源に電源を供給する電源装置、照明器具のおかれている環境の変化をセンシングするセンサを含む制御回路とが、風船体内に装備されていることを特徴とする浮遊可能照明器具。
【請求項２】
前記袋状の風船体内に装備された発光源が、前記風船体内に装備されたセンサによって、自動的にＯＮ−ＯＦＦすることを特徴とする前記請求項１に記載の浮遊可能照明器具。
【請求項３】
前記袋状の風船体内に装備された発光源が、前記風船体内に装備されたセンサによって、自動的に光量が変化することを特徴とする前記請求項１に記載の浮遊可能照明器具。
【請求項４】
前記袋状の風船体内に装備された発光源が、前記風船体内に装備されたセンサによって、自動的に光の色が変化することを特徴とする前記請求項１に記載の浮遊可能照明器具。
【請求項５】
前記袋状の風船から垂れ下がっている細長いひも状物体が設けられ、風船の浮遊力と前記浮遊可能照明器具の重さと前記ひも状物体の非接地部分の荷重とがバランスし浮遊することを特徴とする前記請求項１に記載の浮遊可能照明器具。
【考案の詳細な説明】
【技術分野】
【０００１】本考案は、内部に空気より比重の小さいガスが充填されている浮遊可能照明器具に関する。
【背景技術】
【０００２】内部に空気より比重の軽いガスを注入し、浮遊した状態で発光が可能な照明器具に係る技術の内、ＬＥＤを使用した発光源と該発光源に電源を供給する電源装置を浮遊する照明器具内に含む構成は開示されている。
【特許文献１】特開２００６−２０１３０７
【特許文献２】実願２００６−５２８
【考案の概要】
【考案が解決しようとする課題】
【０００３】浮遊する照明器具の移動状態または照明器具外界の音の状態を、照明器具内で検知し、その移動状態または音の状態によって発光状態を変化することができる、安定的に浮遊可能な照明器具を提供することを目的とする。
【課題を解決するための手段】
【０００４】上記目的を達成するために、本考案に係る浮遊可能照明具は、空気より比重の軽いガスが注入された袋状の浮遊可能照明器具の中に、単一または複数の色彩の光を発光する一個または複数個からなるＬＥＤを使用した発光源と該発光源に電源を供給する電源装置、照明器具の移動をセンシングするセンサを含む制御回路を含む構成である。【０００５】また、前記袋状の風船から細長いひもが垂れ下がり、前記ひもの一部が接地している構成である。
【考案の効果】
【０００６】本考案の装置により、浮遊可能な風船体内に備えられたセンサ、例えば具体的には加速度センサ、ジャイロセンサ、音センサにより、浮遊体の移動または外界の音をセンシングし、浮遊する照明器具本体の移動または、外界の音の変化にあわせて光のＯＮ−ＯＦＦ、強弱、色を自動的に調整することが可能となる。本考案の装置は自在に浮遊することが可能であるので、浮遊状態にある空間の気流、風、または音の有無、強弱を、発光源の光量のＯＮ−ＯＦＦ、強弱、色で表現することが可能となる。【０００７】一般に、風船は空気より比重の軽いガスが抜けていくことで時間経過と共に浮遊力が低下していくが、浮遊する照明器具では、風船内部に重量のある光源、電池、センサや回路を含む構成であるため、一般の風船にも増して、浮遊力の低下により比較的短時間で浮遊できなくなる。本考案では、前記袋状の風船から細長いひもが垂れ下がることで、風船の浮遊力が低下すると、ひもの全長の内、接地している部分の長さが長くなり、結果、風船にかかるひもの荷重が軽くなり風船の浮遊力とバランスし、所望の高さに長時間安定的に浮遊可能となる。
【考案を実施するための最良の形態】
【０００８】本考案に係る浮遊可能照明器具１０は図１に示すように、浮遊する袋状の風船１内の、光源２、該光源２に電源を供給する電池３、照明器具の移動の変化または外界の音の状態をセンシングするセンサ４、これらを接続する回路５を含む構成により発光する。センサ４が浮遊可能照明器具１０の移動状態または外界の音の状態を検知し、具体的には、傾き、加速度、音のセンサの信号を受けて、光源１の発光状態が、ＯＮ−ＯＦＦ、または強弱、または色の変化をする。【０００９】本考案に係る浮遊可能照明器具１０の光源２、該光源２に電源を供給する電池３、照明器具の移動または外界の音をセンシングするセンサ４、これらを接続する回路５の設置位置は目的に応じて、図１、２および３に示すように、それぞれ風船１内のどこに設置されていても、風船１内であれば固定されていなくてもよい。風船１の中央部に固定する場合は、図２のひも６のように細長いテープやロープにより風船１内に固定される。【００１０】また図１、図４または図５に示すように前記袋状の風船１からひも７が垂れ下がることで、図５に示すように風船１の浮遊力が低下すると、風船１の高度が低下し、ひも７の接地している部分の長さが長くなり、結果、図４の場合と比較して風船１にかかるひも７の荷重が軽くなることで風船１の浮遊力とバランスし、浮遊可能照明器具１０が所望の高さに長時間浮遊可能となる。ひも７はテープやロープでもよい。
【図面の簡単な説明】
【００１１】
【図１】本考案に係る浮遊可能照明器具の内部構成の模擬図（発光源が風船の口栓部）である。
【図２】本考案に係る浮遊可能照明器具の内部構成の模擬図（発光源が風船の中心部）である。
【図３】本考案に係る浮遊可能照明器具の内部構成の模擬図（発光源が風船の口栓部の反対側）である。
【図４】本考案に係る浮遊可能照明器具の内部構成の模擬図（風船浮力が大きい場合）である。
【図５】本考案に係る浮遊可能照明器具の内部構成の模擬図（風船浮力が小さい場合）である。
【図１】
0003164732.tif 000003
【図２】
0003164732.tif 000004
【図３】
0003164732.tif 000005
【図４】
0003164732.tif 000006
【図５】
0003164732.tif 000007
(57)【要約】      （修正有）【課題】水鉄砲の射出溶液を交換可能な水鉄砲式防犯用具を提供する。【解決手段】筒体と握り部からなり、射出溶液が密封された、交換可能なカートリッジ式とする。【選択図】図１
0003164795.tif 000002
【実用新案登録請求の範囲】
【請求項１】
筒体と握り部からなり、射出溶液が密封された交換可能なカートリッジ式としたことを特徴とする、水鉄砲式防犯用具。
【考案の詳細な説明】
【技術分野】
【０００１】
本考案は従来の給水、補水等の構造を持った水鉄砲の給水方法を、密封された交換可能なカートリッジ式とした、水鉄砲射出溶液カートリッジ化である。
【背景技術】
【０００２】
現在広く流通している水鉄砲は、使用時に給水を実施し、空気の加圧等で溶液を射出する。また射出溶液の容量確保の為、ボトル等を組み込んだものが大半で、使用時に射出溶液を用意する方式である。
【０００３】
本、水鉄砲射出溶液カートリッジ化は、射出溶液を交換可能なカートリッジに密封することで、射出溶液が空気から遮断され自然蒸発も無く、射出溶液給水の事前準備が必要なくなり、いつでも水鉄砲の使用ができる環境を提供するものである。
【先行技術文献】
【特許文献】
【０００４】
【特許文献１】特開２００１−２４１８９１号公報
【考案の概要】
【考案が解決しようとする課題】
【０００５】
現在広く流通している水鉄砲は、事前準備として射出溶液を用意する必要がある。
【課題を解決するための手段】
【０００６】
本考案は、射出溶液のカートリッジ化により、射出溶液を事前に準備する必要が無くなる。
【考案の効果】
【０００７】
本考案は、射出溶液を交換可能なカートリッジ内に密封することで、射出溶液の自然蒸発を防止するだけでなく、射出溶液を事前に準備する必要がない為、いつでも水鉄砲が使用可能な環境を提供できる。
【図面の簡単な説明】
【０００８】
【図１】本考案の実施形態である、水鉄砲射出溶液カートリッジを筒体に組み込んだ全体図である。
【図２】図１の先端部を拡大した図である。
【図３】図１の、筒体に組み込んだ水鉄砲射出溶液カートリッジを圧縮し溶液を射出させた図である。
【図４】図３の先端部を拡大した図である。
【考案を実施するための形態】
【０００９】
水鉄砲射出溶液を交換可能なカートリッジ内に密封することで、遊具利用としてではなく、カートリッジ内に催涙溶液等を封入し、筒体に組み込むことにより、防犯用具として使用することが望ましい。
【実施例】
【００１０】
図１は、本考案を筒体に組み込んだ、代表的な全体図である。
【００１１】
筒体１先端部には、射出溶液８が密封された射出溶液カートリッジ７が設置されている。
【００１２】
筒体1の先端を相手に向け、握り部２を押し込むことにより、握り部２と連結棒３で連結されている、底板４が押し込まれる。
【００１３】
射出溶液８が密封された射出溶液カートリッジ７は、底板４により圧縮され、、柄1の先端キャップ５内に設けられた先の尖ったパイプにより、射出溶液カートリッジ７の密封フィルムを突き破り、射出溶液８を射出する事が出来る。
【００１４】
射出溶液８は、先端キャップ５に設置されている溶液拡散ノズル６により、拡散されながら射出される。
【産業上の利用可能性】
【００１５】
以上、説明の通り水鉄砲射出溶液カートリッジ化は、射出溶液に催涙液等を密封し、筒体に組み込むことにより、非常に簡単な構造で防犯用具として利用できるものである。
【符号の説明】
【００１６】
１    筒体
２    握り部
３    連結棒
４    底板
５    先端キャップ
６    溶液拡散ノズル
７    射出溶液カートリッジ
８    射出溶液
【図１】
0003164795.tif 000003
【図２】
0003164795.tif 000004
【図３】
0003164795.tif 000005
【図４】
0003164795.tif 000006
(57)【要約】【課題】収容する物件数が多く、かつどの位置からも取り出しやすい螺旋形ラック。【解決手段】直立するメインフレーム１０に連結桿２３によって支持される螺旋フレーム２０から構成し、螺旋フレームは数本の螺旋状の底桿２２、側面桿２１から構成され、螺旋状レール支持空間を形成する。小型カップなどの物件は底桿上に支持され、側面桿によって外側に落下しないように支持された状態で上から下に向けて整列して収容される。螺旋レール上方は開放空間となっているため、任意の位置から物件を取り出すことができる。【選択図】図４
0003164782.tif 000002
【実用新案登録請求の範囲】
【請求項１】
メインフレーム、螺旋フレームから構成された螺旋形ラックにおいて、
メインフレームは、数本の直立桿から構成され、
螺旋フレームは、該直立桿に固定された複数の連結桿に支持されて該直立桿の外周を囲んで配置される複数本の螺旋形状の側面桿、及び底桿から構成され、
底桿は載置した物件を支持し、側面桿は螺旋フレームの外周を囲んで該物件が外方に脱落することを防止するようにしたことを特徴とする螺旋形ラック。
【請求項２】
前記側面桿は、一端にストッパー桿を設置し、底桿の一端にはストッパー凸部を設置したことを特徴とする請求項１記載の螺旋形ラック。
【請求項３】
前記螺旋フレームの内側に前記連結桿上に支持される螺旋状の補助桿を設置したことを特徴とする請求項１記載の螺旋形ラック。
【請求項４】
前記螺旋フレームの連結桿は、円弧形としたことを特徴とする請求項１記載の螺旋形ラック。
【考案の詳細な説明】
【技術分野】
【０００１】
本考案は、螺旋形ラックに関するもので、小物を螺旋状構造に置き、取り出しやすく、物件が自動的に下へ滑り落ちて整列するので、置ける数が増える効果を備える。
【背景技術】
【０００２】
公知の小型カップ状の物品(例としてコーヒーフレッシュ、コーヒークリーム)を置く構造は、概ね、図１、２に示すとおりで、フレーム体は一体成型された側面の直線部を構成する二直線側面桿１、及びストッパー桿４から構成される。二直線側面桿１の上、下端にはそれぞれ上開口２、下開口３が設置され、上開口２からカップ形物件５を入れ、二直線側面桿１がカップ形物件５が重なるのを防ぎ、下開口３からカップ形物件５を取り出す。
【先行技術文献】
【特許文献】
【０００３】
【特許文献１】特開２００１−０２９０号公報
【考案の概要】
【考案が解決しようとする課題】
【０００４】
解決しようとする問題点は、二直線側面桿１が直線形状であるため、構造が単純で、高さが嵩む割にカップ形物件５を置ける数が少ない。また、上開口２もしくは下開口３からしか物件５を取り出すことができず、中間にある物件を取り出すことはできないため、取り出しが不便である点である。
【課題を解決するための手段】
【０００５】
本考案は、螺旋状構造の小物を置くラックを提供し、メインフレーム、螺旋フレームから構成され、メインフレームは直立形状で、螺旋フレームは数本の螺旋状の底桿、連結桿、側面桿から構成されて設置し、螺旋状レール空間を形成する。そこに小物物件(例えば、小型カップ状物品)を置き、物件が取り出しやすくなり、自動的に下へ滑り落ちて整列するので、収容する数量が増大することを最も主要な特徴とする。
【考案の効果】
【０００６】
本考案の螺旋形ラックは、小物を螺旋状構造に置き、取り出しやすく、物件が自動的に下へ落ちて整列するので、置ける数が増えるという利点がある。
【図面の簡単な説明】
【０００７】
【図１】公知の立体図である。
【図２】公知の使用状態図である。
【図３】本考案の立体分解図である。
【図４】本考案の組立立体図である。
【図５】本考案の物件を置いた断面図である。
【図６】本考案の連結桿に補助桿を設置した実施例分解図である。
【図７】図６の組立立体図である。
【図８】本考案の連結桿に円弧形を設置した実施例図である。
【考案を実施するための形態】
【０００８】
本考案は、上述の公知の問題を改善するための主な技術的課題として、メインフレームの周囲に螺旋フレームを備え、螺旋フレームは螺旋状の桿線体から構成され、螺旋のレール空間に小物件(カップ形物件)を置くことで、収容する数量が増大し、取り出しやすく、自動的に滑り落ちて整列する効果を備える。
【実施例】
【０００９】
図３、４、５に示すとおり、本考案は、メインフレーム１０、螺旋フレーム２０から構成される。メインフレーム１０は、数本の直立桿から構成し、螺旋フレーム２０は、メインフレーム１０の周囲に組立て（溶接し）る。  螺旋フレーム２０は側面桿２１、数本の底桿２２及び連結桿２３から構成される。側面桿２１、底桿２２は螺旋状で、上から下へ傾斜した螺旋レールを形成して、その空間に物件５を置く。別に螺旋フレーム２０の両端にはストッパー凸部２１１、ストッパー桿２１０を設置して物件５が外へ落ちるのを防止する。
【００１０】
上述の構造によって、以下の効果を奏する。図５に示すとおり、物件５は底桿２２上に支持され、側面桿２１によって外側に出ないように規制を受けるので、外へ落ちたりしない。図４に示すとおり、螺旋のレール空間内に、多量の物件５が入る。図４に示すとおり、螺旋フレーム２０の側面桿２１、底桿２２の上方は開放空間を形成しているため、どの箇所からでも物件５を取り出すことができる。どの場所で物件５を取り出しても、上方のその他物件５は自動的に下へ滑り落ち、整然と整列する。
【００１１】
他に、上述の技術手段により、本考案は下述の形態を示す。図６、７に示すのは、螺旋のレール内側に連結桿２３に支持される螺旋状の補助桿１１を設置し、補強効果を備える他に、物件５を押さえて落ちないようにする効果を備える。
【００１２】
図８に示すのは、螺旋レールを支持する連結桿２４の下方を円弧形に成形して、膨らみある球状物件、例えば玉子などを置きやすくする。
【００１３】
上述のとおり、本考案の構造は、実用性及びその効果を向上させるため、実用新案登録を申請する。
【符号の説明】
【００１４】
１        直線形側面桿
１０        メインフレーム
１１        補助桿
２        上開口
２０        螺旋フレーム
２１        側面桿
２１０        ストッパー桿
２１１        ストッパー凸部
２２        底桿
２３        連結桿
２４        連結桿
３        下開口
４        ストッパー桿
５        物件
【図１】
0003164782.tif 000003
【図２】
0003164782.tif 000004
【図３】
0003164782.tif 000005
【図４】
0003164782.tif 000006
【図５】
0003164782.tif 000007
【図６】
0003164782.tif 000008
【図７】
0003164782.tif 000009
【図８】
0003164782.tif 000010
(57)【要約】 【課題】軽量で、製造容易な靴脱ぎ具を提供する。【解決手段】金属線材で、適宜大きさの枠杆１１と枠杆１１間を連結する桟杆１２で形成した踏み部１と、靴Ａの踵が掛け止め可能なＵ形状の掛け止め杆２１、及び掛け止め杆２１を適宜高さに支持すると共に前記踏み部１を形成する枠杆１１及び桟杆１２の何れかに連結した脚杆２２で形成した掛け止め部２とを備えてなり、踏み部１を一方の足で踏みしめて靴脱ぎ具を固定し、他方の靴を履いた足は、靴の踵部を掛け止め部２に引っ掛け、足を上方に動かすことで靴脱ぎを行う。【選択図】図２
0003164464.tif 000002
【実用新案登録請求の範囲】
【請求項１】
金属線材で、適宜大きさの枠杆と枠杆間を連結する桟杆で形成した踏み部と、靴の踵が掛け止め可能なＵ形状の掛け止め杆、及び掛け止め杆を適宜高さに支持すると共に前記踏み部を形成する枠杆及び桟杆の何れかに連結した脚杆で形成した掛け止め部とを備えてなることを特徴とする靴脱ぎ具。
【請求項２】
掛け止め部の左右に踏み部を配置してなる請求項１記載の靴脱ぎ具。
【請求項３】
桟杆を、掛け止め部の靴装着方向と平行に設けてなる請求項２記載の靴脱ぎ具。
【考案の詳細な説明】
【技術分野】
【０００１】
本考案は、靴脱ぎ具に関するものである。
【背景技術】
【０００２】
靴脱ぎ具は、靴の踵部を引っ掛ける掛け止め部と、靴脱ぎ操作時に前記掛け止め部を固定するための踏み部を備えているもので、踏み部を一方の足で踏みしめて靴脱ぎ具を固定し、他方の靴を履いた足は、靴の踵部を掛け止め部に引っ掛け、足を上方に動かすことで靴脱ぎを行うものである。
【０００３】
例えば特許文献１（実公昭５７−４９３８号公報）には、起立枠体内の下方に踏み部を起立倒伏自在に枢結し、同上方に縁部分を凹状に形成した掛け止め部を枢結してなる靴脱ぎ具が開示されており、また特許文献２（実公昭５５−２５００１号公報）には、ベース部の先端にアーチ状の膨出部分を形成すると共に、前記の膨出部分に先部が開口したＵ状の掛け止め部を形成し、ベース部の基部を踏み部としている靴脱ぎ具が開示されている。
【０００４】
また特許文献３（特開２００２−３００９５６号公報）には、床面から所定高さに位置するように形成した踏み板の縁部に、凹部を設けて掛け止め部とした靴脱ぎ具が開示されている。
【先行技術文献】
【特許文献】
【０００５】
【特許文献１】実公昭５７−４９３８号公報。
【特許文献２】実公昭５５−２５００１号公報。
【特許文献３】特開２００２−３００９５６号公報。
【考案の概要】
【考案が解決しようとする課題】
【０００６】
上記した従前の靴脱ぎ具は、面材で形成されている。而も当該面材においては、足踏み固定に対する充分な耐力を必要とするために、相応の厚さ及び強度が必要となる。従ってその加工（製造）も煩雑となり、相応の重量になり取り扱いに不便さを感じる。
【０００７】
そこで本考案は、軽量で製作容易とした新規な靴脱ぎ具を提案したものである。
【課題を解決するための手段】
【０００８】
本考案に係る靴脱ぎ具は、金属線材で、適宜大きさの枠杆と枠杆間を連結する桟杆で形成した踏み部と、靴の踵が掛け止め可能なＵ形状の掛け止め杆、及び掛け止め杆を適宜高さに支持すると共に前記踏み部を形成する枠杆及び桟杆の何れかに連結した脚杆で形成した掛け止め部とを備えてなることを特徴とするものである。
【０００９】
而して前記靴脱ぎ具は、従前と同様に玄関等に配置し、踏み部を一方の足で踏みしめて靴脱ぎ具を固定し、他方の靴を履いた足は、靴の踵部を掛け止め部に引っ掛け、足を上方に動かすことで靴脱ぎを行うものである。
【考案の効果】
【００１０】
本考案の構成は上記のとおりで、金属線材を溶接で連結して形成しているので、軽量で且つ製造が容易であると共に、枠杆や桟杆の形状を任意に定めることができ、そのデザイン選択性においても優れた物となる。
【図面の簡単な説明】
【００１１】
【図１】本考案の実施形態の全体斜視図。
【図２】同使用状態の説明図。
【考案を実施するための形態】
【００１２】
次に本考案の実施形態について説明する。実施形態に示した靴脱ぎ具は、適宜太さで後述する操作に十分に耐える強度を有する金属線材を、溶接等の手段で連結して形成したもので、踏み部１と掛け止め部２で構成される。
【００１３】
踏み部１は、枠杆１１と桟杆１２で形成され、枠杆１１は両足を揃えた範囲より少なくとも足一つ分以上左右幅広の枠状に形成し、桟杆１２は、前後の枠杆１１間に差渡して連結するもので、桟杆１２の間隔は、靴で踏み部１を踏んだ際に踏み部１を床面上に確りと固定できるように定めるものである。
【００１４】
掛け止め部２は、掛け止め杆２１と脚杆２２で形成され、掛け止め杆２１は、前方を開口し、後部で靴Ａの踵が掛け止め可能なＵ形状としたものであり、脚杆２２は、前記掛け止め杆２１を、踏み部の左右中心で、且つ適宜高さに支持するもので、前記掛け止め杆２１の開口部分の左右を下方に折曲して枠杆１１に下端を溶接連結し、また掛け止め杆２１の後方と桟杆１２との間に配置して連結固定するものである。
【００１５】
而して従前の靴脱ぎ具と同様に使用されるもので、玄関等に配置し、踏み部１を一方の足（靴Ａを履いた状態或いは脱いだ状態）で踏みしめて靴脱ぎ具を固定し、他方の足に履いた靴Ａを、その踵部を掛け止め杆２１の奥方に引っ掛け、その状態で足を上方へ動かすと、容易に靴脱ぎを行うことができる。
【００１６】
尚本考案は、靴脱ぎ具全体を金属線材で形成するものであれば、枠杆１１、桟杆１２の形状、大きさに限定があるものでなく、また掛け止め杆２１も靴の踵を前方より差し入れて、踵部分を掛け止めできる形状であれば良いし、脚杆も特定の位置に限定されるものでもない。
【符号の説明】
【００１７】
１      踏み部
１１    枠杆
１２    桟杆
２      掛け止め部
２１    掛け止め杆
２２    脚杆
【図１】
0003164464.tif 000003
【図２】
0003164464.tif 000004
(57)【要約】      （修正有）【課題】簡便に植物の育成が行えるようにする植物育成用人工土壌を提供する。【解決手段】木材チップをチップ間に連通空間を設けるように接着して成形したブロック体の上面に有底の穴を形成した。簡便に植物の育成が行える結果、誰でも何処ででも植物の育成を楽しむことができる。また、室内であっても、小さなスペースで植物の育成を楽しめるし、その移動を簡便に行える利点がある。【選択図】図１
0003164465.tif 000002
【実用新案登録請求の範囲】
【請求項１】
木材チップをチップ間に連通する空隙を設けるように接着して成形したブロック体の上面側に有底の穴を形成した植物育成用人工土壌。
【請求項２】
請求項１に記載の室内用植物育成用人工土壌とこれを収納する耐水性容器とからなる室内用植物育成具。
【考案の詳細な説明】
【技術分野】
【０００１】
本考案は、木材チップを利用した人工土壌並びにこれを用いた室内用の植物育成具に関するものである。
【背景技術】
【０００２】
木材チップを利用した木質材が特許文献１に開示されている。
この木質材は、木材チップにユリア樹脂などの接着剤を塗布して型枠内に投入し、熱板で熱圧すると共に型枠に設けた孔から蒸気を噴射して接着剤を硬化させ、チップ間に連通間隙を設けた状態で接着させたものである。
【０００３】
一般に植物の育成は、植木鉢に用土などを入れて種を植えつけ、遣り水も必要となる。室内で育成しようとすると、植木鉢の他に鉢カバーが必要となり、大きなスペースを必要とすることになる。
上記の木質材は、舗装材として利用が紹介されているが、考案者は、この木質材が天然素材であって環境にやさしく、保水力も期待できる点に着目し、室内においても植物育成を簡便に行える土壌としての活用を検討した結果、本考案を創案するに至った。
【先行技術文献】
【特許文献】
【０００４】
【特許文献１】特開平６−３９８１５号公報
【考案の概要】
【考案が解決しようとする課題】
【０００５】
本考案は、植物育成用人工土壌において、簡便に植物の育成が行えるようにすることを課題としたものである。
【課題を解決するための手段】
【０００６】
この課題を解決するための第一の技術的手段は植物育成用人工土壌に関するもので、木材チップをチップ間に連通する空隙を設けるように接着して成形したブロック体の上面側に有底の穴を形成したことである。
また、第二の技術的手段は室内用植物育成具に関するもので、上記の植物育成用人工土壌とこれを収納する耐水性容器とを組み合わせたものである。
【０００７】
第一の技術的手段において、木材チップを接着させてブロック体を成形すると、チップ自体の大きさが不均一であるため、チップ間に連通する空隙が形成される。ブロック体の表面に有底の穴を設けると、穴の側壁及び底部がブロック体内に形成されている空隙と連通することになるから、この穴を植物の植栽用に利用することができる。
なお、穴の形成時に生じる切削屑は、次工程でブロック体の材料として利用できるから、材料に無駄が生じることはない。
【０００８】
木材チップは保水力があるため、この孔に種、又は種と少量の植栽用の床材料を入れてこれに水を与えると、水は木材チップ及び床材料に吸収され、植物を発芽させることができる。容器にブロック体を入れると共にブロック体の下部が水に浸るように水を注ぎ入れておくと、ブロック体への遣り水の頻度を小さくすることができる。
なお、植物の根は、ブロック体の空間を通って伸びることになる。
【０００９】
木質チップとしては、杉や檜などの間伐材、パレットや建築物の廃材を好適に使用することができる。また、人工土壌の穴に入れる床材料としては、保水力のある綿、ミズゴケ、木材や枯葉の小片などを使用すればよいが、少量の用土を用いてもよい。
【００１０】
破砕・裁断などして形成された木材チップの接着には、ウレタン系、シリコン系、エポキシ系、ユリア樹脂系などの合成接着剤を使用することができる。
液化木材系の接着剤を使用すると、天然の接着剤によってブロック体が成形されることになり、環境に一層やさしい人工土壌を得ることができる。この液化木材系の接着剤としては、木材に対し硫酸の共存下でフェノール類を溶媒として加熱する方法によって調整されるフェノール樹脂接着剤と、同じく酸触媒下で多価アルコールを溶媒として加熱する方法によって調整されるウレタン樹脂系接着剤がある。
【００１１】
人工土壌に形成される有底の穴は、１個であってもよいし複数個形成してもよい。後者の場合には一つの人工土壌を使用して異なる植物の栽培が可能となる。
【００１２】
第二の技術的手段においては、上記の植物育成用人工土壌とこれを収納する耐水性容器とが組み合わせられているから、人工土壌に種を植えつけて耐水性容器に収納し、その状態で遣り水をすれば植物の育成を簡便に行うことができる。
耐水性の容器としては、皿状やカップ状のものの他、ボックス状のものなどを好適に使用することができる。強靱なポリ袋を容器として使用することもできる。
皿状やカップ状の容器では、そのまま根の成長状態をも観察することができる。ボックス型容器やポリ袋として透明のものを使用した場合も同様である。
【考案の効果】
【００１３】
簡便に植物の育成が行える結果、誰でも何処ででも植物の育成を楽しむことができる。
また、第二の技術的手段にかかる考案では、室内であっても、小さなスペースで植物の育成を楽しめるし、その移動を簡便に行える利点がある。
【図面の簡単な説明】
【００１４】
【図１】透明なケース収納した室内用植物育成具の斜視図
【考案を実施するための形態】
【００１５】
図１は、植物育成用人工土壌１を透明容器５内に入れた状態を示している。
人工土壌１は、間伐材を破砕して形成したチップ２、２を材料とし、これに液化木材系であるウレタン樹脂系接着剤を被着させ、蒸気プレスの型枠に投入して、高さ約６cmのブロック体を成形した。ブロック体内には小さな空隙が連通状態で形成されている。
本実施形態では、冷却後に縦・横約８cmの長さに裁断し、表面に直径約１．５cm、深さ約３cmの穴３を１個穿設して人工土壌とした。
透明容器５は、本実施形態では透明なポリプロピレン樹脂で成形したケースを使用しており、耐水性を備えたものである。
なお、上記の人工土壌１の上に包装した種と床材料や用土を置き、図示しない蓋を被せてそのまま商品として販売することができる。
【符号の説明】
【００１６】
１植物育成用人工土壌、  ２間伐材のチップ、  ３穴、  ５透明容器
【図１】
0003164465.tif 000003
(57)【要約】      （修正有）【課題】高齢者や身体の不自由な人が寝返りをうちやすい敷布を提供する。【解決手段】敷布本体１の中央部を切り抜いて開口部２を形成すると共にこの開口部２を塞ぐようにゴザ３を取り付け、かつ、このゴザ３の織目４を敷布本体１の幅方向に設定する。ゴザは、敷布本体１に対して面ファスナー５又はホックを用いて着脱自在に取り付ける。又は、敷布本体１の表面中央部に直接ゴザ３を面ファスナー５又はホックを用いて着脱自在に取り付ける。このように、敷布本体１の中央部にゴザ３があると、ゴザ３の滑りの作用で寝返りをうつのが大変楽になり、高齢者や身体の不自由な人に特に有効である。【選択図】図１
0003164476.tif 000002
【実用新案登録請求の範囲】
【請求項１】
敷布本体の中央部を切り抜いて開口部を形成すると共にこの開口部を塞ぐようにゴザを取り付け、かつ、このゴザの織目を敷布本体の幅方向に設定したことを特徴とする介護用敷布。
【請求項２】
前記ゴザは、敷布本体の裏側又は表側に取り付けられていることを特徴とする請求項１に記載の介護用敷布。
【請求項３】
前記ゴザは、敷布本体に対して面ファスナー又はホックを用いて着脱自在に取り付けられていることを特徴とする請求項１に記載の介護用敷布。
【請求項４】
ゴザを敷布本体の表面であってその中央部に面ファスナー又はホックを用いて着脱自在に取り付けると共にゴザの織目を敷布本体の幅方向に設定して成る介護用敷布。
【考案の詳細な説明】
【技術分野】
【０００１】
本考案は、高齢者や身体の不自由な人が独りで寝返りをうったり、あるいは介護を必要とする人が布団やベッドに寝ている状態のまま抱きかかえる際に楽なように被介護者を布団やベッドの端に移動させるときに便利な介護用敷布（シーツ）に関する。
【背景技術】
【０００２】
寝返りがうち易いように、敷布の中央部に滑り易いシルク地を縫着した考案が非特許文献１に紹介されている。
【先行技術文献】
【非特許文献】
【０００３】
【非特許文献１】実用新案登録第３０１６６５９号公報
【考案の概要】
【考案が解決しようとする課題】
【０００４】
しかし、上記非特許文献１に紹介されている敷布の場合、次のような欠点がある。
【０００５】
１．シルク地の場合、木綿地等に比較して滑り易いことは確であるが、実際にはそれほど寝返りがうちやすくはない。
【０００６】
２．敷布の場合、頻繁に洗濯を行うことから、シルク地が痛み易い。
【０００７】
３．シルク地の場合、汚れがつき易い。
【０００８】
４．シルク地は足元側では敷布の下端まで延長して縫着されているため、足元方向への滑りにより毛布や掛け布団がずれ易い。
【０００９】
５．シルク地の場合、夏の涼感は得難い。
【００１０】
６．シルク地の場合、皺が発生しやすい。
【００１１】
７．シルク地は、敷布本体に縫着してあるため、簡単に取り外して交換を行うことができない。
【００１２】
本考案は、上記１〜７に記述した欠点のない介護用敷布を提供するのが目的である。
【課題を解決するための手段】
【００１３】
本考案は、上記目的を達成するため、請求項１に記載の介護用敷布は、敷布本体の中央部を切り抜いて開口部を形成すると共にこの開口部を塞ぐようにゴザを取り付け、かつ、このゴザの織目を敷布本体の幅方向に設定したことを特徴とするものである。
【００１４】
更に、請求項２に記載の介護用敷布は、請求項１に記載の介護用敷布において、ゴザは、敷布本体の裏側又は表側に取り付けられていることを特徴とするものである。
【００１５】
更に、請求項３に記載の介護用敷布は、請求項１に記載の介護用敷布において、ゴザは、敷布本体に対して面ファスナー又はホックを用いて着脱自在に取り付けられていることを特徴とするものである。
【００１６】
更に、請求項４に記載の介護用敷布は、ゴザを敷布本体の表面であってその中央部に面ファスナー又はホックを用いて着脱自在に取り付けると共にゴザの織目を敷布本体の幅方向に設定して成ることを特徴とするものである。
【考案の効果】
【００１７】
本考案によると、ゴザの織目が敷布に対して幅方向を
向いているため、幅方向（横方向）への滑りの作用により高齢者や身体の不自由な人でも簡単に寝返りをうつことができる。
【００１８】
また、ゴザは汚れにくく、仮に汚れても拭きとりにより簡単に奇麗にすることができる。
【００１９】
また、ゴザは取り外し自在のため、痛んだ際は新品に交換したりすることができると共にゴザを取り外して敷布本体だけを洗濯機を用いて洗濯することができる。
【００２０】
また、ゴザは敷布本体の中央部に取り付けられているため、足元側へのすべりがなく、掛け布団や毛布のずれが起きにくい。
【００２１】
また、ゴザは熱を持たないため、特に夏において涼感を得ることができることから、被介護者にとっては夏を快適に過すことができる。
【００２２】
また、被介護者をベッドの端側に滑らせて寄せることにより、抱きかかえがしやすい。
【００２３】
また、地場産業で生産されるゴザを敷布の一部に使用することにより、ゴザの大量消費がうながされて地域振興に寄与できる。
【図面の簡単な説明】
【００２４】
【図１】本考案に係る敷布の説明図である。
【図２】Ａ−Ａ’線断面図。
【図３】敷布本体からゴザを取り外している状態の説明図である。
【考案を実施するための形態】
【００２５】
本考案を図１〜３を用いて説明すると、符号の１は敷布本体であって、この敷布本体１は木綿の織地で出来ており、その中央であって、頭部及び足以外の身体が接する部分には額縁状に開口部２が形成してある。
【００２６】
３は、上記開口部２を裏側から塞いでいるイグサ製のゴザであって、このゴザ３の織目４は敷布本体１において横（幅）方向を向いている。
【００２７】
なお、ゴザ３は敷布本体１の表側に取り付けても良い。
【００２８】
５は、上記ゴザ３を敷布本体１の裏面に着脱自在に取り付けている面ファスナーであって、図３に示すように、この面ファスナー５によりゴザ３は取り外しが出来る。
【００２９】
なお、ゴザ３は、面ファスナー５以外にホック等を用いて着脱自在に取り付けても良く、このゴザ３の着脱手段は任意である。
【００３０】
また、ゴザ３の裏面には、布等が裏打ちされていても良く、あるいは滑りにくいようにすべり止めが施されていても良い。
【００３１】
また、本考案の敷布本体１を使用する際に、吸湿性を考慮してゴザ３の上にバスタオル等の木綿布を敷き、この上に寝るようにしても、寝返りを行うとバスタオル等がゴザ３の上で滑るため、バスタオルやその他の敷物をゴザ３の上に敷いても寝返り易さは変らない。
【００３２】
また、本考案において、ゴザ３は、敷布本体１に開口部２を形成せず、敷布本体１の表面中央部に張り付けても本考案の目的を達成することができる（請求項４）。
【００３３】
この場合、敷布本体１には開口部２の構成がないため、敷布本体１のコストは少し高くなるが、開口部２の加工上の手間は軽減されるので、全体のコストは略同一である。
【符号の説明】
【００３４】
１  敷布本体
２  開口部
３  ゴザ
４  織目
５  面ファスナー
【図１】
0003164476.tif 000003
【図２】
0003164476.tif 000004
【図３】
0003164476.tif 000005
(57)【要約】      （修正有）【課題】発光素子の照射角度を向上し且つ放熱面積を増加した点灯器具を提供する。【解決手段】台座１と、中空本体２と、基板３と、カバー４とを含み、該台座には制御手段１１が設けられ、該中空本体は、内壁２１を有し、該中空本体の一端が台座と互いに結合され、該基板の一方に少なくとも一つの発光素子３１が設けられ、該基板の周縁が中空本体の内壁と互いに結合され、安定結合、位置決めされる効果に達し、該カバーが中空本体の他端に結合される。【選択図】図１
0003164404.tif 000002
【実用新案登録請求の範囲】
【請求項１】
制御手段が設けられた台座と、
内壁を有し、一端が前記台座と互いに結合された中空本体と、
一方に少なくとも一つの発光素子が設けられ、周縁が前記中空本体の内壁と互いに結合された基板と、を含む点灯器具。
【請求項２】
前記基板は、本体と複数の延出部とを含み、前記各延出部が前記本体の周縁と互いに結合されることを特徴とする請求項１に記載の点灯器具。
【請求項３】
前記本体は多角型であり、前記本体の各辺から延出部が外へそれぞれ延出され、前記各延出部が前記本体の周縁とは角度で曲折され、前記各延出部の周縁が前記中空本体の内壁と互いに結合されることを特徴とする請求項２に記載の点灯器具。
【請求項４】
前記各延出部に少なくとも一つの発光素子が設けられることを特徴とする請求項２に記載の点灯器具。
【請求項５】
前記基板の他方に少なくとも一つの放熱層が結合されることを特徴とする請求項１または３に記載の点灯器具。
【請求項６】
前記発光素子はＬＥＤであることを特徴とする請求項１または４に記載の点灯器具。
【請求項７】
カバーをさらに含み、前記カバーが前記中空本体の他端に結合されることを特徴とする請求項１に記載の点灯器具。
【考案の詳細な説明】
【技術分野】
【０００１】
本考案は点灯器具に係り、特に環境を照明するための点灯器具に関るものである。
【背景技術】
【０００２】
現在の市場では、ＬＥＤに関して様々な製品が開発され、しかも氾濫するくらいまでになり、あらゆる産業においてもＬＥＤを応用できるようになっているが、なお研究開発されつつある。特に、照明器具の場合、従来のＬＥＤランプでは、その基板に一つのＬＥＤのみが設けられ、ＬＥＤは、省電力や、高輝度、使用寿命が長く、体積が小さく、並びにパワーが高いなどの利点を備えても、光源の照射角度が小さく、放熱し難いなどの問題が解決し難いといったことが欠点となっている。
【０００３】
そのため、ＬＥＤの照射角度を大きくし、且つ放熱し易くなる点灯器具をどうすれば設計できるかが本考案の解決しようとする課題である。
【考案の開示】
【考案が解決しようとする課題】
【０００４】
本考案の目的は、基板の本体周縁と延出部とが互いに結合されるとともに角度で曲折され、該延出部に発光素子が設けられることにより、発光素子の照射角度を向上し且つ放熱面積を増加する効果に達する点灯器具を提供することにある。
【０００５】
本考案の次の目的は、中空本体の内壁と基板の周縁とが互いに結合されることにより、安定結合、位置決めされる効果に達する点灯器具を提供することにある。
【課題を解決するための手段】
【０００６】
前記目的を達成するため、本考案に係る点灯器具は、台座と、中空本体と、基板と、カバーとを含み、該台座には制御手段が設けられ、該中空本体は、内壁を有し、該中空本体の一端が台座と互いに結合され、該基板の一方に少なくとも一つの発光素子が設けられ、該基板の周縁が中空本体の内壁と互いに結合され、該カバーが中空本体の他端に結合される。
【図面の簡単な説明】
【０００７】
【図１】図１は、本考案に係る点灯器具の実施例１を示す分解図である。
【図２】図２は、本考案に係る点灯器具の実施例１を示す断面図である。
【図３】図３は、本考案に係る点灯器具の実施例２を示す分解図である。
【図４】図４は、本考案に係る点灯器具の実施例２を示す断面図である。
【考案を実施するための最良の形態】
【０００８】
以下の本考案に係る図面を参照しながら本考案の実施例について説明するが、以下の実施例の記載は本考案を限定するものではない。
【０００９】
＜実施例１＞
図１及び図２は、本考案に係る点灯器具の分解図及び断面図である。図１及び図２に示すように、点灯器具は、台座１と、中空本体２と、基板３とを含む。
【００１０】
台座１には制御手段１１が設けられ、中空本体２は内壁２１を有し、中空本体２の一端が台座１に結合され、基板３の一方に少なくとも一つの発光素子３１が設けられ、基板３の周縁３２が中空本体２の内壁２１と互いに結合される。
【００１１】
また、実施時に、カバー４を加えても良い、該カバー４が中空本体２の他端に結合される。
【００１２】
また、発光素子３１はＬＥＤであり、基板３の他方に少なくとも一つの放熱層５が結合される。
【００１３】
＜実施例２＞
図３及び図４に示すように、本考案に係る実施例２が実施例１の素子及び効果と大体同等であり、基板３の態様のみが異なるため、繰り返しの説明を省略する。図に示すように、基板３は、本体３３と複数の延出部３４とを含み、各延出部３４が本体３３の周縁と互いに結合される。
【００１４】
本体３３は多角型であり、本体３３の各辺から延出部３４が外へ延出され、各延出部３４が本体３３の周縁とは角度で曲折され、各延出部３４に少なくとも一つの発光素子３１が設けられ、各延出部３４の周縁が中空本体２の内壁２１と互いに結合され、基板３の他方に少なくとも一つの放熱層５が結合される。
【００１５】
以上のように、本考案に係る点灯器具は、基板３の本体３３周縁と延出部３４とが互いに結合されるとともに角度で曲折され、該延出部３４に発光素子３１が設けられることにより、発光素子３１の照射角度を向上し且つ放熱面積を増加する効果に達し、また、中空本体２の内壁２１と基板３の周縁３２とが互いに結合されることにより、安定結合、位置決めされる効果に達することを特徴とする。
【００１６】
以上の記載は単に本考案の好ましい実施例の説明に過ぎず、本考案の実用新案登録請求の範囲を限定するものではなく、いずれの当該分野における通常の知識を有する者が、本考案の分野の中で、適宜行う変更や修飾等を実施できるが、これらの実施も本考案の範囲に含まれるべきことは言うまでもない。
【符号の説明】
【００１７】
１・・・・・・台座
２・・・・・・中空本体
３・・・・・・基板
４・・・・・・カバー
５・・・・・・放熱層
１１・・・・・制御手段
２１・・・・・内壁
３１・・・・・発光素子
３２・・・・・周縁
３３・・・・・本体
３４・・・・・延出部
【図１】
0003164404.tif 000003
【図２】
0003164404.tif 000004
【図３】
0003164404.tif 000005
【図４】
0003164404.tif 000006
(57)【要約】      （修正有）【課題】水面に浮いた汚れ物を排出することによって快適に入浴することができて衛生上も良い風呂釜を提供する。【解決手段】浴槽釜１の上部に排水穴２を設け．水面に浮いているアカ等を流し出す。排水穴２にキヤツプ蓋３を設ける。使用時はキヤツプ蓋３を開けて汚れ物を流し出す。流し終わるとキヤプ蓋をする。排水管内の悪臭を防ぐために普段はキヤツプ蓋をしておく。排水口の配水管４は、浴槽釜１片方にエプロン６を設け、そのエプロン６内で配管施工し、浴槽釜の排水口底面５の排水管と配水管４とを接続して放流する。【選択図】図１
0003164437.tif 000002
【実用新案登録請求の範囲】
【請求項１】
浴槽釜（１）の上の部分に排水穴（２）を設けた浄化する風呂釜。
【考案の詳細な説明】
【技術分野】
【０００１】  本発明は浴槽釜の上部８分目程度に排水穴を設けたものである。
【背景技術】
【０００２】  従来は浴槽の排水は底面にあるが、上の部分にも排水穴を設けた．
【発明が解決しようとする課題】
【０００３】  先に入浴者があれば当然お湯も汚れアカとか塵などが水面に浮いているのが目につき不潔感を覚える
【課題を解決するための手段】
【０００４】  不潔感をなくするためには浴槽釜の上部に設けた排水穴の位置まで湯を張り排水穴のキヤツプ蓋をとり水面に浮いている汚物を流し出す．
【発明の効果】
【０００５】  浴槽釜の上部に設けた排水穴より水面に浮いた汚れ物を排出することによって快適に入浴することができて衛生上にも良い．風呂の水も２回使用することも可能となり水の節約にもつながる．又労動力の軽減となる．
【考案を実施するための最良の形態】
【０００６】  以下、本発明の実施の形態について説明する．
浴槽釜（１）の上部に排水穴（２）を設け．水面に浮いているアカ等を流し出す  上部排口（２）にキヤツプ蓋（３）を設ける．使用時はキヤツプ蓋（３）を開けて汚れ物を流し出す．流し終わるとキヤプ蓋をする  排水管内の悪臭を防ぐために普段はキヤツプ蓋をしておく、上部排水口の排管（４）は．浴槽釜（１）片方にエプロン（６）を設けそのエプロン（６）内で配管施功し、浴槽釜の排水口底面（５）の排水管と上部配水管（４）と接続して放流する．
【図面の簡単な説明】
【０００７】
【図１】  本発明の斜視図
【図２】  本発明の左エプロンの斜視図
【図３】  本発明の右エプロンの斜視図
【符号の説明】
【０００８】  １  浴槽釜
２  上部排水穴
３  キヤツプ蓋
４  配水管
５  底面排水口
６  エプロン
【図１】
0003164437.tif 000003
【図２】
0003164437.tif 000004
【図３】
0003164437.tif 000005
【手続補正書】
【提出日】平成22年8月26日(2010.8.26)
【手続補正１】
【補正対象書類名】実用新案登録請求の範囲
【補正対象項目名】全文
【補正方法】変更
【補正の内容】
【実用新案登録請求の範囲】
【請求項１】
浴槽１の短辺側７の側面部分に前記浴槽の全高寸法の８分目程度の高さに排水穴２を設け、浴槽１の水面９に浮いている、アカ及び塵などの汚物を排水穴２より流出し除去することによって、湯水を浄化することを特徴とした、浄化する浴槽。
【手続補正２】
【補正対象書類名】明細書
【補正対象項目名】全文
【補正方法】変更
【補正の内容】
【考案の詳細な説明】
【技術分野】
【０００１】本発明は、浴槽１の短辺側７の側面に浴槽の高さ寸法の８分目程度の高さに排水穴２を設けた。
【背景技術】
【０００２】従来は、浴槽１の排水穴は浴槽の底面にあるが浴槽の上の部分にもキヤプ付きの排水穴２を設けた。
【発明が解決しようとする課題】
【０００３】既に入浴者があれば当然お湯も汚れ、アカ、塵などが水面に浮いているのが目につき不潔感を覚えるものです。
【課題を解決するための手段】
【０００４】不潔感をなくし快適に入浴するためには、浴槽１の短辺側の側面部分に設けた排水穴２の高さまでお湯を張り排水穴２のキャップ蓋３をとり除き水面９に浮いている汚物を流し排出する。
【発明の効果】
【０００５】浴槽１の短辺側７の側面部分に設けた排水穴２より水面９に浮いた汚れ物を排水することによって快適に入浴することができて衛生上にも良い、風呂の水も２回使用することも可能となり、水の節約又、労働力の軽減にもつながる。
【発明を実施するための最良の形熊】
【０００６】以下、本発明の実施の形熊について設明する浴槽１の短辺側７の側面部分に排水穴２を設け水面９に浮いている、アカ及び塵などを流し出す排水口２の部分にキャップ蓋３を設ける、流す時はキャップ蓋３を開けて流し出す、流し終わるとキャップ蓋をする。排水管内の悪臭を防ぐために普段はキャップ蓋をしておく、短辺側７の側面部分の排水口２の排水管４は浴槽１の片方、左、右どちらになるか据付場所によって異なるが、エプロン６を設けそのエプロン６内で配管施功し、浴槽１の排水口底面５の排水管と短辺側７の側面部分の排水口と接続の排水管４と接続して放流する。
【図面の簡単な説明】
【０００７】
【図１】本発明の斜視図
【図２】本発明の左エプロン付きの斜視図
【図３】本発明の右エプロン付きの斜視図
【符号の設明】
【０００８】１    浴槽
２    短辺側、側面部分排水穴
３    キャップ蓋
４    排水管
５    底面排水口
６    エプロン（左、右）
７    短辺側（浴槽の）
８    長辺側（浴槽の）
９    水面
【手続補正３】
【補正対象書類名】図面
【補正対象項目名】全図
【補正方法】変更
【補正の内容】
【図１】
0003164437.tif 000006
【図２】
0003164437.tif 000007
【図３】
0003164437.tif 000008
(57)【要約】      （修正有）【課題】５月の節句だけでなく、毎日飾ることができ、家族構成に合わせて鯉のぼりを配置することができる鯉のぼりの置物セットを提供する。【解決手段】吹き流し及び鯉のぼりのパーツの取付は、竹ひごを３分割にして支柱に結着し、各鯉のぼりのパーツは、家族構成に合わせて配置する。【選択図】図１
0003164440.tif 000002
【実用新案登録請求の範囲】
【請求項１】
鯉のぼりの置物セットのケースは落ちても安全なようにアクリル製とし、ケース内の鯉のぼりの数は家族構成に合わせて配置することが出来る。
【請求項２】
１個の木製鯉のぼりを支柱に固定する時、竹ひごを３分割にして結着した。
同じ竹ひごを逆さに削りだし、杉の葉っぱを創作した。
【考案の詳細な説明】
【技術分野】
【０００１】室内に飾る置物。
【背景技術】
【０００２】  毎年５月の節句のお祝いに、鯉のぼりが飾られる。普通はその期間だけ飾られ、その後は物置などに収納される。また室内外を問わず飾る為の設置場所が必要であり、収納場所も同様であった。そういった不便さから年が経つにつれて飾られなくなり不要な物となっている事が多い。
【考案が解決しようとする課題】
【０００３】  本鯉のぼりの置物セットは、５月の節句の時だけでなく、日常生活の中で毎日見られるようにすることで、家族の絆を実感する事ができる。
【課題を解決するための手段】
【０００４】  鯉のぼりの置物セットは、ケース１，のぼり２，取付支柱３，吹き流し４，鯉のぼり５、メッセージ板６よりなる。
鯉のぼりの数は、支柱への取付間隔を調整することにより、家族構成に合わせて配置する事ができる。
【考案の効果】
【０００５】  昨今、ＤＶ、虐待など家族の中で子供が被害者になる事件が多く発生し携帯やゲームが普及したことにより、家族の絆が希薄になってきた。
鯉のぼりを見るたびに「毎日が子供の日」なのだと再確認できるよう工夫した。
【考案を実施するための最良の形態】
【０００６】  鯉のぼりはケースに入れることにより、粉塵防止、色あせ等をぼうしできた。
【図面の簡単な説明】
【図１】  本考案の正面図
【符号の説明】１ケース
２のぼり
３取付支柱
４吹き流し
５鯉のぼり
６メッセージ板
【図１】
0003164440.tif 000003
【手続補正書】
【提出日】平成22年9月7日(2010.9.7)
【手続補正１】
【補正対象書類名】実用新案登録請求の範囲
【補正対象項目名】全文
【補正方法】変更
【補正の内容】
【実用新案登録請求の範囲】
【請求項１】
鯉のぼりの置物セットにおいて
（１）吹き流し及び鯉のぼりのパーツの取付は、竹ひごを３分割にして支柱に結着し、
（２）上記各鯉のぼりのパーツは、家族構成に合わせて配置する
以上のような特徴を有する鯉のぼりの置物セット。